(57)【要約】      （修正有）【課題】内部を複数の小部屋で仕切った場合に隣接する部屋同士の充填材の移動が可能で、かつ部屋を仕切ったことによる形状的な優位性も損なうことのないクッション体を提供する。【解決手段】袋状に立体縫製された可撓性のある外皮２ａ〜２ｇ内に同外皮の立体形状を保つ程度でかつ移動可能なように多数のビーズを充填して背もたれ部７と座部５を有する縦断面視状態で略Ｌ字状をなすソファを構成する。ソファ内は仕切り布８、９によって３つの小部屋Ａ，Ｂ，Ｃに仕切られており、隣接する小部屋は開口部１０によって連通されてビーズが流通することができる。【選択図】図３
0003192819.tif 000002
【実用新案登録請求の範囲】
【請求項１】
袋状に立体縫製された可撓性のある外皮内に同外皮の立体形状を保つ程度でかつ移動可能なように粒状の充填材を充填して使用するクッション体において、
前記外皮内を複数の小部屋に仕切るための可撓性のある膜体を向かい合った前記外皮間に張設し、
前記膜体又は前記膜体と前記外皮の間には前記充填材の隣接する前記小部屋間の流通を許容する通路を形成したことを特徴とするクッション体。
【請求項２】
前記通路は常時隣接する前記小部屋間に窓状に開口する開口部であることを特徴とする請求項１に記載のクッション体。
【請求項３】
前記外皮によって立体縫製される形状は、座部と背もたれ部を有する縦断面視状態で略Ｌ字状をなすソファー形状であることを特徴とする請求項２に記載のクッション体。
【請求項４】
前記膜体は前記座部と前記背もたれ部とを仕切る位置に配置されることを特徴とする請求項３に記載のクッション体。
【請求項５】
前記通路はソファーに着座した際の左右方向の前記外皮に隣接した両側位置に形成されることを特徴とする請求項３又は４に記載のクッション体。
【請求項６】
前記膜体は前記背もたれ部の後方と前記座部の下方にそれぞれ配置され、前記座部位置の第１の小部屋と、前記背もたれ部位置の第２の小部屋と前記第１の小部屋の下方であって、前記第２の小部屋の後方に位置する第３の小部屋とによって内部を仕切ることを特徴とする請求項３〜５のいずれかに記載のクッション体。
【請求項７】
前記背もたれ部の後方に配置される前記膜体は前記座部の座面と略同じ高さ位置に配設されていることを特徴とする請求項６に記載のクッション体。
【請求項８】
前記背もたれ部の後方に配置される前記膜体は後ろ上がりとなるように配設されていることを特徴とする請求項７に記載のクッション体。
【請求項９】
前記座部の下方に配置される前記膜体は前記背もたれ部の前面位置と略同じ垂直方向位置に配設されていることを特徴とする請求項６〜８のいずれかに記載のクッション体。
【請求項１０】
前記座部の下方に配置される前記膜体は上方が後ろ下がりとなるように配設されていることを特徴とする請求項９に記載のクッション体。
【請求項１１】
前記外皮には前記充填材の導入口が１つのみ形成されており、前記充填材の充填後に前記導入口が閉鎖可能であることを特徴とする請求項１〜１０のいずれかに記載のクッション体。
【考案の詳細な説明】
【技術分野】
【０００１】
本考案は、人が座ったり、寄りかかったりするために内部に充填材を充填して使用するクッション体に関するものである。
【背景技術】
【０００２】
従来から袋状に立体縫製された可撓性のある外皮内に発泡プラスチック製の小球体の充填材を充填して使用するクッション体（いわゆるビーズクッション）がある。このようなクッション体の一例を特許文献１に示す。
【先行技術文献】
【特許文献】
【０００３】
【特許文献１】特開２００７−２８３０８２号公報
【考案の概要】
【考案が解決しようとする課題】
【０００４】
ところで、このようなクッション体の内部を区画、あるいは複数のクッション体を連結する等して複数の小部屋を有するクッション体とする場合がある。通常ビーズクッションと呼ばれるこのようなクッション体は内部に支持するためのフレームを持たないため、例えば角や隅といった明確な不連続な部分を有する形態を有するように構成することは難しい。しかし、複数の小部屋に区画したり複数のクッション体を連結することで比較的凹凸形状の明確なクッション体を構成することは可能である。
このようなクッション体では、人がその上に乗ったり寄りかかったりすると変形し内部の充填材は人の重さとその重さのかかる方向に応じて内部で移動する。しかし、上記のように内部を複数の小部屋に仕切った場合には充填材は当該１つの小部屋内部でのみで移動し、隣接する小部屋には移動することはできなかった。しかし、人がクッション体に乗る場合にはある１つの小部屋部分のみに乗ったり寄りかかるわけではなく、複数の小部屋にまたがって重さをかけることとなるのが普通である。その場合に小部屋同士での速やかな充填材の移動がないとクッション体は滑らかに変形せず、クッション体を使用した際の当たりの滑らかさや柔らかさに欠けることとなる。そのため、内部を複数の小部屋で仕切った場合に隣接する部屋同士の充填材の移動が可能で、かつ部屋を仕切ったことによる形状的な優位性も損なうことのない技術が求められていた。
【課題を解決するための手段】
【０００５】
上記の目的を達成するための第１の手段として、袋状に立体縫製された可撓性のある外皮内に同外皮の立体形状を保つ程度でかつ移動可能なように粒状の充填材を充填して使用するクッション体において、前記外皮内を複数の小部屋に仕切るための可撓性のある膜体を向かい合った前記外皮間に張設し、前記膜体又は前記膜体と前記外皮の間には前記充填材の隣接する前記小部屋間の流通を許容する通路を形成したことをその要旨とする。
このような構成であれば、人がクッション体に乗ったり寄りかかったりすると、クッション体はその重さで変形し、内部的には充填材が移動をすることとなる。その際に充填材は仕切られた複数の小部屋間を通路を経由して流通することができ、ある部屋だけで充填材が留まるということがないので、変形が複数の部屋にまたがるものである場合に充填材は隣接する部屋にも移動できることとなり、その結果スムーズなクッション体の変形に寄与することとなる。また、充填材を充填する際には小部屋毎に個々に詰めなくとも充填作業が可能となり、また、各部屋の充填材の密度がこのように連通されることで平均化することとなる。
ここに「膜体」は材質や形成方法は問わず、向かい合った外皮間に張設された状態で小部屋を仕切り、充填された充填材によって外皮が拡張することを防止する役割をすれば膜体の概念に含まれる。膜体を配置することで外皮が大きな内圧を受けるほどいっぱいに充填材を詰め込まなくとも立体形状を保持できることとなる。
また、第２の手段として、前記通路は常時隣接する前記小部屋間に窓状に開口する開口部であることをその要旨とする。また、「移動」とは充填材が押される際の運動エネルギーが次々と伝達されて直接外から押されていない充填材も含めて現位置を変位させることである。
このように窓状に開口する開口部を通路とすることで、充填材は隣接する部屋を通過する際の抵抗を極力小さくして移動することができ、よりスムーズなクッション体の変形に寄与する。
【０００６】
また、第３の手段として、前記外皮によって立体縫製される形状は、座部と背もたれ部を有する縦断面視状態で略Ｌ字状をなすソファー形状であることをその要旨とする。
ソファー形状は座部と背もたれ部が縦断面視状態で略Ｌ字状となるため、座部と背もたれ部構成する外皮に明確なソファー形状を維持させるためにこのように複数の小部屋で仕切ることがよい。ソファー形状は座部と背もたれ部を有すれば、例えば肘掛けのような座部の左右に上方に突出する部分がある構成でもよい。その場合に座部と肘掛けの間に膜体を配設してもよい。
また、第４の手段として、前記膜体は前記座部と前記背もたれ部とを仕切る位置に配置されることをその要旨とする。
これによって、座部と背もたれ部とのなす略Ｌ字状の外皮形状が膜体によって支えられることとなり、内部に充填材を充填した際にフレームを備えていなくとも充填された充填材によって外方に拡張しすぎることなくソファーの形状が保持されることとなる。また、ソファーに座る際にはまず座部に乗り、その後に背中が背もたれ部を押すという動作となることが基準である。そのため、このような膜体の位置はまず座部方向からの背もたれ部方向に充填材が移動し、その後再び座部方向に戻るというような一連の充填材の動きにも対応することとなる。
また、第５の手段として、前記通路はソファーに着座した際の左右方向の前記外皮に隣接した両側位置に形成されることをその要旨とする。
ソファーに座った際には臀部が座部中央に位置し、背中が背もたれ部中央に位置することが多く、縁寄りに座るというケースは少ない。そのため、中央寄りの充填材が左右方向に移動するため充填材がバランスよくスムーズに左右方向に流れることとなって、着座した人が着座した際にソファーに包まれるように滑らかに変形することとなる。
【０００７】
また、第６の手段として、前記膜体は前記背もたれ部の後方と前記座部の下方にそれぞれ配置され、前記座部位置の第１の小部屋と、前記背もたれ部位置の第２の小部屋と前記第１の小部屋の下方であって、前記第２の小部屋の後方に位置する第３の小部屋とによって内部を仕切ることをその要旨とする。
このようにソファーを仕切ることでソファー形状が保持されることとなる。また、同時に、第１の小部屋と第２の小部屋の間に第３の小部屋を設けているため、重さのかかる座部と背もたれ部からの充填材の移動が一旦緩衝的に重さのあまりかからない第３の小部屋を介して行われることとなり、充填材はスムーズであるものの一挙に移動するのではなく第３の小部屋内の充填材の抵抗によって比較的ゆっくりと変形できることとなる。
また、第７の手段として、前記背もたれ部の後方に配置される前記膜体は前記座部の座面と略同じ高さ位置に配設されていることをその要旨とする。
このように構成すると、膜体を固定する位置を座部と背もたれ部を継ぎ合わせる継ぎ目（例えば縫製部位）と同じ位置に配置することができ、また、上方に盛り上がるように膨出する座部によって縫製部分を目視できないようにすることが可能である。
また、第８の手段として、前記背もたれ部の後方に配置される前記膜体は後ろ上がりとすることをその要旨とする。
これによって、充填材が移動する際に斜めに配置される膜体によって案内されるため、よりスムーズな充填材の移動が可能となる。また、背もたれ部の背面側の外皮は上下方向に長さがあるため、充填材が堆積すると背もたれ部の上部に隙間ができやすくなるが、このように膜体の位置を上寄りとすることで隙間ができにくくなる。このような、上下方向に長さがある場合にはさらにいくつかの膜体で仕切り小部屋を設けるようにしてもよい。この場合にも膜体には通路を形成することがよい。
また、第９の手段として、前記座部の下方に配置される前記膜体は前記背もたれ部の前面位置と略同じ垂直方向位置に配設されていることをその要旨とする。
このように構成すると、膜体を固定する位置を座部と背もたれ部を継ぎ合わせる継ぎ目（例えば縫製部位）と同じ位置に配置することができ、また、上方に盛り上がるように膨出する座部によって縫製部分を目視できないようにすることが可能である。
また、第１０の手段として、前記座部の下方に配置される前記膜体は上方が後ろ下がりとなるように配設されていることをその要旨とする。
これによって、充填材が移動する際に斜めに配置される膜体によって案内されるため、よりスムーズな充填材の移動が可能となる。
また、第１１の手段として、前記外皮には前記充填材の導入口が１つのみ形成されており、前記充填材の充填後に前記導入口が閉鎖可能であることをその要旨とする。
これによって、充填材を１つの導入口から導入するだけで、クッション体全体に充填材を均等に配分することができる。
【考案の効果】
【０００８】
本考案によれば、クッション体の内部を複数の小部屋で仕切った場合に隣接する部屋同士の充填材の移動が可能となるため、クッション体に重さをかけた際にクッション体のスムーズな変形に寄与することとなる。
【図面の簡単な説明】
【０００９】
【図１】本考案の一例である実施の形態のソファーの斜視図。
【図２】同じ実施の形態のソファーの一部切り欠き正面図。
【図３】同じ実施の形態のソファーにおいて内部構造を説明するために内部にビーズを充填していない（膨らんでいない）立体状態を想定した状態での縦断面図。
【図４】同じ実施の形態のソファーの斜め下方から目視した状態の斜視図。
【考案を実施するための形態】
【００１０】
以下、本発明のクッション体の一実施例としてのソファーについて図面に基づいて説明する。
図１〜図４に示すように、ソファー１の合成皮革製の外皮２内には発泡ポリスチレン製の充填材としての多数のビーズ３が充填されている。ビーズ３は概ね５ｍｍ〜８ｍｍ程度の直径の弾性のある小球体である。ビーズ３は外から力がかかった際に内部でビーズ３が十分移動でき、かつ同時に全体の立体形状を保つことができるために最大に収納できる量よりも少な目の８０％〜９０％程度の充填率とされ、８５％程度がもっとも使用感がよい。このように多数のビーズ３を充填するため、ソファー１は可撓性のある外皮２が膨らんで張りのある外観を呈する。ソファー１はその外観として前方に突出した座部５と座部５の後方に起立した背もたれ部７を備えている。
外皮２はいくつかのパーツを立体的に縫製することで構成されている。本実施の形態では左右側面を構成する一対のＬ字型の第１及び第２外皮片２ａ，２ｂと座部上面〜座部前面を構成する第３の外皮片２ｃ、背もたれ部前面〜背もたれ部後面上部を構成する第４の外皮片２ｄ、背もたれ部後面下部を構成する第５の外皮片２ｅ、座部裏面後部を構成する第６の外皮片２ｆ、座部裏面前部を構成する第７の外皮片２ｇの７つのパーツから構成されている。第３〜第７の外皮片２ｃ〜２ｇが直列に連結されるように縫製するとともに、第３〜第７の外皮片２ｃ〜２ｇの左右側方と左右に配した第１及び第２外皮片２ａ，２ｂの外周とを連結するように縫製することで外皮２が形成されている。図１に示すように、第３の外皮片２ｃと第４の外皮片２ｄの連結部分はちょうど座部５前面と背もたれ部前面の交点となる第１及び第２外皮片２ａ，２ｂの隅部Ｐに位置する。
【００１１】
外皮２内には対向する外皮片同士に張設された膜体としての２枚の第１及び第２の仕切り布８、９が配設されている。第１及び第２の仕切り布８、９は長方形形状の可撓性のある合成繊維製の可撓性のある布である。第１の仕切り布８は第３の外皮片２ｃの後端、つまり第３の外皮片２ｃと第４の外皮片２ｄの継ぎ目位置と第４の外皮片２ｄと第５の外皮片２ｅの継ぎ目位置において対向する全縁が縫製されることで配設されている。図３及び図４に示すように、第１の仕切り布８は第６及び第７の外皮片２ｆ、２ｇによって構成される底面を水平面とした場合に前方から後方にかけて若干後ろ上がりとなるように非水平に配置されている。第１の仕切り布８によってビーズ３を充填した状態での背もたれ部７の前後方向への拡張が抑制されている。
第２の仕切り布９は第３の外皮片２ｃの後端、つまり第３の外皮片２ｃと第４の外皮片２ｄの継ぎ目位置と第６の外皮片２ｆと第７の外皮片２ｇの継ぎ目位置において対向する全縁が縫製されることで配設されている。図３及び図４に示すように、第２の仕切り布９第３の外皮片２ｃによって構成される座部前面を垂直面とした場合に下方から上方にかけて若干後ろ下がりとなるように非垂直に配置されている。第２の仕切り布９によってビーズ３を充填した状態での座部５の上下方向への拡張が抑制されている。第１及び第２の仕切り布８、９によってソファー１内は第１の小部屋Ａ、第２の小部屋Ｂ、第３の小部屋Ｃに仕切られることとなる。
図３及び図４に示すように、第１及び第２の仕切り布８、９は左右の第１及び第２外皮片２ａ，２ｂとの間は縫製されず間隔を開けた状態となって左右同じ大きさの開口部１０が形成されている。この開口部１０によってビーズ３を充填した際に各小部屋Ａ〜Ｃ間をスムーズにビーズ３が流通できることとなる。
図４に示すように、第５の外皮片２ｅと第６の外皮片２ｆの交差する角部分には導入口としての開閉可能なファスナー１１が形成されている。本実施の形態ではファスナー１１は１つだけでビーズ３はすべてこのファスナー１１から出し入れする。
【００１２】
このような構成のソファー１では、ソファー１に人がソファー１に体を預けて重さがかかった際には、その重さと重さのかかる方向に応じて外皮２は様々に変形し、内部のビーズ３もそれに応じて移動する。例えば、人がまず第１にソファー１に座る場合を考えると、重さはまず、座部５となる外皮２の第３の外皮片２ｃに大きくかかりることとなる。第３の外皮片２ｃは重さで撓んで第１の小部屋Ａは急激に内部容積を減らすが、その際に第１の仕切り布８の左右の開口部１０に近い位置にあるビーズ３は左右の開口部１０から第３の小部屋Ｃ方向に移動する。このとき第３の小部屋Ｃはそのビーズ３の流入によって一瞬膨らみ圧力を逃がすこととなる。次いで、第３の小部屋Ｃでは第２の仕切り布９の左右の開口部１０に近い位置にあるビーズ３が左右の開口部１０から第２の小部屋Ｂ方向に移動することとなる。一方、ほぼ同時で若干タイミング的に遅れて背もたれ部７にも重さがかかるようになるため第４の外皮片２ｄも重さで撓んで第２の小部屋Ｂは急激に内部容積を減らす。そのため、今度は逆にビーズ３は第２の小部屋Ｂから第３の小部屋Ｃ方向に移動することとなる。また、人と接する側は凹方向に撓むが背もたれ部７の背面側は凸に膨らむことにもなるためソファー１内で複雑にビーズ３は様々な移動を繰り返すこととなる。基本的にある小部屋のある部分にかかる圧力が他の小部屋方向に分散されるため、ソファー１の変形が全領域で滑らかになる。
【００１３】
このような構成のソファー１では次のような効果が奏される。
（１）ビーズ３を充填したソファー１において、重さがかかって形状が変形する際に、ビーズ３が開口部１０を透過して流通するため、クッション体が部分部分で反発力が大きく変わることもなくスムーズに変形することとなる。
（２）ビーズ３を充填してソファー１が膨張してもソファー１内部にはフレーム様の部材の代わりに第１及び第２の仕切り布８、９が配設され、これらによってソファー１の座部５と背もたれ部７の形状を保持できる。
（３）開口部１０は左右均等に形成されているため、ソファー１に座った際に変形が左右で偏って発生することがない。
（４）第１及び第２の仕切り布８、９によって第２の小部屋Ｂが形成されることとなり、合計３つの部屋をビーズ３が流通し、その際に大きく変形がある第１の小部屋Ａと第２の小部屋Ｂからの部屋に対して第３の小部屋Ｃが緩衝的な役割をするため、ビーズ３はスムーズであるものの一挙に移動するのではなく比較的ゆっくりと変形できることとなる。
（５）第１及び第２の仕切り布８、９は斜めに配置されているため、ビーズ３が移動しやすくなっている。
（６）ファスナー１１が１つのみ形成されており、すべてのビーズ３はすべてこのファスナー１１から出し入れできることとなるため作業が軽減される。
【００１４】
尚、この考案は、次のように変更して具体化することも可能である。
・ソファー１の形状、材質、縫製の位置、外皮片の数等は適宜変更可能である。また、第１及び第２の仕切り布８、９の材質や大きさもや配設位置等も適宜変更可能である。仕切り布を増やして４つ以上の小部屋を構成するようにしてもよい。
また、上記ではソファについて座部５と背もたれ部７を有するシンプルな形状を一例として挙げたが、肘掛けやヘッドレストを有するような形状のソファで実現するようにしてもよい。その場合には肘掛けやヘッドレストについて上記の第１及び第２の仕切り布８、９のような仕切り布を設けて小部屋を形成するようにしてもよい。
・ソファー１以外のクッション体に適用するようにしてもよい。
・ビーズ３の大きさは上記以外のサイズや形状でもよい。例えば、上記よりもサイズにばらつきがあって０．５ｍｍ〜１０ｍｍ程度の範囲のビーズ３を使用するようにしてもよい。
・充填材として発泡ウレタン製のビーズ３を使用したが、他の充填材を使用するようにしてもよい。形状も球状でなくともよい。
・開口部１０の大きさ、形状や形成位置は上記以外でもよい。
・上記では導入口としてファスナー１１を使用したが、ファスナー１１以外の手段。例えば、面ファスナーやボタンを使用して導入口を開閉するようにしてもよい。
・その他、本考案の趣旨を逸脱しない態様で実施することは自由である。
【符号の説明】
【００１５】
１１…クッション体としてのソファ、２…外皮、３…充填材としてのビーズ、８…膜体としての第１の仕切り布、９…膜体としての第２の仕切り布、１０…通路としての開口部、Ａ〜Ｃ…第１〜第３の小部屋。
【図１】
0003192819.tif 000003
【図２】
0003192819.tif 000004
【図３】
0003192819.tif 000005
【図４】
0003192819.tif 000006